(57)【要約】【課題】  本発明は、使用されている周囲温度を絶対温度として検知し、絶対温度を基準とした、周囲温度に合わせた制御を行うことにより、より安定した記録再生を行うことができる光ディスク記録再生装置およびその制御方法を提供することを目的とする。【解決手段】  光ディスク２０の周辺の温度情報を検出する温度検出手段３２と、予め定めた２つの絶対温度の状態でそれぞれ測定した温度検出手段３２の検出値を前記絶対温度とともに保存する記憶装置４２と、記憶装置４２に記憶された、絶対温度と検出値の２組の情報から、温度検出手段３２により検出される検出値より絶対温度を求める相関関数を形成し、実際の使用時に温度検出手段３２の検出値を前記相関関数により絶対温度に変換する情報処理モジュール４１と、情報処理モジュール４１により求められた絶対温度に基づいて記録再生装置の制御パラメータを切り替えるシステムコントローラ４０を備える。【選択図】      図１
2005222596.tif 000002
【特許請求の範囲】
【請求項１】
光ディスクにデータを記録し、前記光ディスクよりデータを再生する光ディスク記録再生装置であって、
前記装置内に挿入された光ディスクまたは光ディスク周辺の温度情報を検出する温度情報検出手段と、
前記温度情報検出手段の周囲の絶対温度を予め定めた２つ以上の基準温度とした状態で、前記温度情報検出手段によりそれぞれ測定した検出値を、前記基準温度と共に保存する基準温度情報保存手段と、
前記基準温度情報保存手段に保存された２つ以上の基準温度と検出値の組の情報に基づいて、前記温度情報検出手段の検出値を前記温度情報検出手段の周囲の絶対温度に補正する温度情報補正手段と、
前記温度情報補正手段により求められた絶対温度をもとに、前記記録再生装置の制御を切り替える切り替え手段と
を備えたことを特徴とする光ディスク記録再生装置。
【請求項２】
前記温度情報補正手段は、前記基準温度情報保存手段に保存された２つ以上の基準温度と検出値の組から、前記温度情報検出手段の検出値を、前記温度情報検出手段の周囲の絶対温度に補正する規則を１次以上の関数で近似して求め、この規則に従って前記温度情報検出手段の検出値を絶対温度に補正すること
を特徴とする請求項１記載の光ディスク記録再生装置。
【請求項３】
前記光ディスク記録時の記録速度を切り替える記録速度切り替え手段を備え、
前記切り替え手段は、前記温度情報補正手段により求められた絶対温度に応じて前記記録速度切り替え手段の前記記録速度の上限を変化させること
を特徴とする請求項１または請求項２に記載の光ディスク記録再生装置。
【請求項４】
前記光ディスク記録時の周囲温度毎に最適な記録ストラテジー情報を記憶するストラテジー情報記憶手段を備え、
前記切り替え手段は、前記温度情報補正手段により求められた絶対温度に応じて記録ストラテジー情報を前記ストラテジー情報記憶手段に記憶されたストラテジーに切り替えること
を特徴とする請求項１または請求項２に記載の光ディスク記録再生装置。
【請求項５】
前記光ディスク再生時の再生速度を切り替える再生速度切り替え手段を備え、
前記切り替え手段は、前記温度情報補正手段により求められた絶対温度に応じて再生速度切り替え手段の前記再生速度の上限値を変化させること
を特徴とする請求項１または請求項２に記載の光ディスク記録再生装置。
【請求項６】
前記光ディスク再生時のレーザーパワーを切り替えるレーザーパワー切り替え手段を備え、
前記切り替え手段は、前記温度情報補正手段により求められた絶対温度に応じて前記レーザーパワー切り替え手段により前記光ディスク再生時のレーザーパワーを変化させること
を特徴とする請求項１または請求項２に記載の光ディスク記録再生装置。
【請求項７】
前記光ディスク記録再生時のフォーカスサーボ制御オフセット値を切り替えるフォーカスオフセット切り替え手段を備え、
前記切り替え手段は、前記温度情報補正手段により求められた絶対温度に応じて前記フォーカスオフセット切り替え手段の前記オフセット値を変化させること
を特徴とする請求項１または請求項２に記載の光ディスク記録再生装置。
【請求項８】
前記光ディスクの再生信号から再生クロックを抽出し、再生クロックに同期してデータの再生を行うＰＬＬ手段と、
前記ＰＬＬ手段の動作周波数特性を切り替えるＰＬＬ制御切り替え手段と
を備え、
前記切り替え手段は、前記温度情報補正手段により求められた絶対温度に応じて前記ＰＬＬ制御切り替え手段により前記ＰＬＬ手段のＰＬＬ制御特性を変化させること
を特徴とする請求項１または請求項２に記載の光ディスク記録再生装置。
【請求項９】
前記光ディスクの再生信号を２値化するデータスライス特性を制御する手段と
前記データスライス特性を切り替えるデータスライス特性切り替え手段と
を備え、
前記切り替え手段は、前記温度情報補正手段により求められた絶対温度に応じて前記データスライス特性切り替え手段を制御して前記データスライス特性を制御する手段のデータスライス特性を変化させること
を特徴とする請求項１または請求項２に記載の光ディスク記録再生装置。
【請求項１０】
前記光ディスクシーク動作時の加減速の度合いと最大速度を決定するプロファイル手段と
前記プロファイル手段を切り替えるプロファイルの切り替え手段と
を備え、
前記切り替え手段は、前記温度情報補正手段により求められた絶対温度に応じて前記プロファイル切り替え手段を制御して前記プロファイル手段のシーク動作時の加速度合いと最大速度を変化させること
を特徴とする請求項１または請求項２に記載の光ディスク記録再生装置。
【請求項１１】
前記光ディスクに対して情報の記録再生を行うピックアップを移動させるトラバースの駆動能力を制御するトラバース駆動能力切り替え手段を備え、
前記切り替え手段は、前記温度情報補正手段により求められた絶対温度に応じて前記トラバース駆動能力切り替え手段を制御してトラバース駆動能力を変化させること
を特徴とする請求項１または請求項２に記載の光ディスク記録再生装置。
【請求項１２】
光ディスクにデータを記録し、前記光ディスクよりデータを再生する光ディスク記録再生装置の制御方法であって、
前記光ディスクまたは光ディスク周辺の絶対温度を予め定めた２つ以上の基準温度とした状態でそれぞれ、前記光ディスクまたは光ディスク周辺の温度情報を検出し、これら前記基準温度と検出した温度情報とにより、検出する温度情報と前記絶対温度と間の相関関数を求め、
実際の使用時に、前記光ディスクまたは光ディスク周辺の温度情報を検出すると、この検出した温度情報を前記相関関数によって絶対温度に変換し、この絶対温度を基準として、前記記録再生装置の制御を切り替えること
を特徴とする光ディスク記録再生装置の制御方法。
【請求項１３】
絶対温度と検出した温度情報との間の相関関数を、１次以上の関数で近似して求めること
を特徴とする請求項１２に記載の光ディスク記録再生装置の制御方法。
【請求項１４】
検出した温度情報を相関関数により変換した絶対温度に応じて、前記光ディスク記録時の記録速度の上限を変化させること
を特徴とする請求項１２または請求項１３に記載の光ディスク記録再生装置の制御方法。
【請求項１５】
検出した温度情報を相関関数により変換した絶対温度に応じて、前記光ディスク記録時の記録ストラテジー情報を切り替えること
を特徴とする請求項１２または請求項１３に記載の光ディスク記録再生装置の制御方法。
【請求項１６】
検出した温度情報を相関関数により変換した絶対温度に応じて、前記光ディスク再生時の再生速度の上限値を変化させること
を特徴とする請求項１２または請求項１３に記載の光ディスク記録再生装置の制御方法。
【請求項１７】
検出した温度情報を相関関数により変換した絶対温度に応じて、前記光ディスク再生時のレーザーパワーを変化させること
を特徴とする請求項１２または請求項１３に記載の光ディスク記録再生装置の制御方法。
【請求項１８】
検出した温度情報を相関関数により変換した絶対温度に応じて、光ディスク記録再生時のフォーカスサーボ制御オフセット値を変化させること
を特徴とする請求項１２または請求項１３に記載の光ディスク記録再生装置の制御方法。
【請求項１９】
検出した温度情報を相関関数により変換した絶対温度に応じて、前記光ディスクより再生した再生信号から再生クロックを抽出し、再生クロックに同期してデータの再生を行うＰＬＬ手段のＰＬＬ制御特性を変化させること
を特徴とする請求項１２または請求項１３に記載の光ディスク記録再生装置の制御方法。
【請求項２０】
検出した温度情報を相関関数により変換した絶対温度に応じて、前記光ディスクより再生した再生信号を２値化するデータスライス特性を制御する手段の前記データスライス特性を変化させること
を特徴とする請求項１２または請求項１３に記載の光ディスク記録再生装置の制御方法。
【請求項２１】
検出した温度情報を相関関数により変換した絶対温度に応じて、前記光ディスクのシーク動作時の加減速の度合いと最大速度を決定するプロファイル手段の前記シーク動作時の加速度合いと最大速度を変化させること
を特徴とする請求項１２または請求項１３に記載の光ディスク記録再生装置の制御方法。
【請求項２２】
検出した温度情報を相関関数により変換した絶対温度に応じて、ピックアップを移動させるトラバースの駆動能力を制御するトラバース駆動能力切り替え手段の前記トラバース駆動能力を変化させること
を特徴とする請求項１２または請求項１３に記載の光ディスク記録再生装置の制御方法。
【発明の詳細な説明】
【技術分野】
【０００１】
本発明は、光ディスク記録再生装置およびその制御方法に関し、特に使用環境の温度差に起因する性能劣化を回避するための技術に関するものである。
【背景技術】
【０００２】
過去数年来、コンピュータ等の記録再生装置として光ディスクが広く普及している。この光ディスクの利点として、装置の構成が簡単であること、光ディスク媒体が安価で大容量であることが挙げられる。さらには近年の技術向上により、ノートパソコンやデジタルカメラなどの可搬性機器に搭載される例が増加している。
【０００３】
ところで、デスクトップパーソナルコンピュータ（パソコン；ｐｃ）が一般の建物の中で使用されることを前提としていることに対して、ノートパソコンやデジタルカメラなどの可搬性機器においては、さまざまな環境下で使用される。したがって、コンピュータ関連機器においても、周辺環境（例えば温度や湿度）が居室下から大きく外れた場合にも安定した記録再生動作を行う必要が生じてきている。
【０００４】
このように光ディスク記録再生装置は、常温、高温、低温といろいろな条件で使用される可能性があるが、読み出し／書き込み処理（シーケンスやパラメータ設定）は、その使用環境に関係なく同一のものが使用されていることが多い。逆にいうと、「どの環境でも通用する（一般的な・無難な）設定を選択して使用している」ということができる。
【０００５】
周辺環境（例えば温度や湿度）の変化により、例えば、高温時に懸念される事項として、光ディスクの反りがあるが、常温でそれほど記録特性が良くないディスクでは、高温での書き込み時にディスクの反りで記録特性が悪化してしまい、（常温での）再生時に再生できない場合がある。また読み出しに関しても、低温でメカ負荷が増大して動かなくなったり、高温でピックアップなどの特性劣化（パラメータ設定不適）で読めなくなる場合がある。
【０００６】
そこで、光ディスク記録再生装置内部に、装置内部の温度や光ディスク周辺の温度を検出する温度センサ（温度検出手段）を設け、温度検出手段によって検出された温度をもとに種々の制御内容を切り替える方法が採られている。例えば、温度検出手段によりディスク装置の内部温度を測定し、測定した内部温度と予め設定される閾値とを比較してディスクへの記録倍速を変化すること（特許文献１）、また温度検出手段により光ディスクの周辺温度を測定し、この測定した周辺温度と光ディスクの線速度に応じて最適記録パワーを設定すること（特許文献２）が行われている。
【特許文献１】特開２００３−１７３５３６号公報
【特許文献２】特開２００２−３２９３１９号公報
【発明の開示】
【発明が解決しようとする課題】
【０００７】
しかしながら、従来の光ディスク記録再生装置内に通常組み込まれている温度検出手段は、周辺の温度情報を相対値として示しているものである。つまり、基準値といくら違う、という情報は正しく検出できるが、絶対温度としての情報は得ることができず、したがって、絶対温度を基準とした、装置の制御切り替え処理では、最適な制御切り替えを行うことができないという問題があった。また、相対値による制御切り替えでは、温度検出手段そのもののバラツキや、装置毎の内部温度の違いを吸収できるだけの結果を得られないという問題があった。
【０００８】
そこで、本発明は、使用されている周囲温度を絶対温度として検知し、絶対温度を基準とした、周囲温度に合わせた制御を行うことにより、記録再生の品位を保持し、より安定した記録再生を行うことができる光ディスク記録再生装置、および制御方法を提供することを目的としたものである。
【課題を解決するための手段】
【０００９】
前述した目的を達成するために、本発明の光ディスク記録再生装置は、光ディスクにデータを記録し、前記光ディスクよりデータを再生する光ディスク記録再生装置であって、挿入された光ディスクまたは光ディスク周辺の温度情報を検出する温度情報検出手段と、前記温度情報検出手段の周囲の絶対温度を予め定めた２つ以上の基準温度とした状態で、前記温度情報検出手段によりそれぞれ測定した検出値を、前記基準温度と共に保存する基準温度情報保存手段と、前記基準温度情報保存手段に保存された２つ以上の基準温度と検出値の組の情報に基づいて、前記温度情報検出手段の検出値を前記温度情報検出手段の周囲の絶対温度に補正する温度情報補正手段と、前記温度情報補正手段により求められた絶対温度をもとに、前記記録再生装置の制御を切り替える切り替え手段とを備えたことを特徴とする。
【００１０】
上記構成によれば、温度検出手段により光ディスクまたは光ディスク周辺の温度情報を検出し、その温度情報を、内部の温度情報補正手段によって絶対温度に補正・変換し、絶対温度を基準として、周囲温度に合わせて当該装置の制御を切り替えることにより、記録再生の品位が保持され、より安定した動作が得られる。
【００１１】
また前記温度情報補正手段は、前記基準温度情報保存手段に保存された２つ以上の基準温度と検出値の組から、前記温度情報検出手段の検出値を、前記温度情報検出手段の周囲の絶対温度に補正する規則を１次以上の関数で近似して求め、この規則に従って前記温度情報検出手段の検出値を絶対温度に補正することを特徴とする。
【００１２】
また本発明の光ディスク記録再生装置の制御方法は、光ディスクにデータを記録し、前記光ディスクよりデータを再生する光ディスク記録再生装置の制御方法であって、前記光ディスクまたは光ディスク周辺の絶対温度を予め定めた２つ以上の基準温度とした状態でそれぞれ、前記光ディスクまたは光ディスク周辺の温度情報を検出し、これら前記基準温度と検出した温度情報とにより、検出する温度情報と前記絶対温度と間の相関関数を求め、実際の使用時に、前記光ディスクまたは光ディスク周辺の温度情報を検出すると、この検出した温度情報を前記相関関数によって絶対温度に変換し、この絶対温度を基準として、前記記録再生装置の制御を切り替えることを特徴とする。
【００１３】
上記方法によれば、光ディスクまたは光ディスク周辺の絶対温度を予め定めた２つ以上の基準温度とした状態で、温度検出手段により光ディスクまたは光ディスク周辺の温度情報を検出して、温度情報と絶対温度との間の相関関数を求め、実際の使用時に、この相関関数により温度情報を絶対温度に変換し、この絶対温度に合わせて当該装置の制御を切り替えることにより、記録再生の品位が保持され、より安定した動作が得られる。
【００１４】
また前記絶対温度と検出した温度情報との間の相関関数を、１次以上の関数で近似して求めることを特徴とする。
また本発明の光ディスク記録再生装置およびその制御方法において、光ディスクまたは光ディスク周辺の温度情報より求められた絶対温度に応じて、
1.光ディスク記録時の記録速度を切り替える記録速度切り替え手段の前記記録速度の上限を変化させること、
2.光ディスク記録時の記録ストラテジー情報を、ストラテジー情報記憶手段に記憶されたストラテジーに切り替えること、
3.光ディスク再生時の再生速度を切り替える再生速度切り替え手段の前記再生速度の上限値を変化させること、
4.光ディスク再生時のレーザーパワーを切り替えるレーザーパワー切り替え手段により前記レーザーパワーを変化させること、
5.光ディスク記録再生時のフォーカスサーボ制御オフセット値を切り替えるフォーカスオフセット切り替え手段の前記オフセット値を変化させること、
6.光ディスクの再生信号から再生クロックを抽出し、再生クロックに同期してデータの再生を行うＰＬＬ手段のＰＬＬ制御特性を変化させること、
7.光ディスクの再生信号を２値化するデータスライス特性を制御する手段の前記データスライス特性を変化させること、
8.光ディスクシーク動作時の加減速の度合いと最大速度を決定するプロファイル手段の前記シーク動作時の加速度合いと最大速度を変化させること、
9.光ディスクに対して情報の記録再生を行うピックアップを移動させるトラバースの駆動能力を制御するトラバース駆動能力切り替え手段のトラバース駆動能力を変化させること、
を特徴とする。
【発明の効果】
【００１５】
本発明の光ディスク記録再生装置およびその制御方法は、上記構成・方法により、温度検出手段（部品）のバラツキによる誤差を吸収し、実際の装置の使用時に、絶対温度を基準としたより正確な、より適切なパラメータを設定でき、よって記録再生の品位を保持でき、より安定した記録再生を行うことができる、という効果を有している。
【発明を実施するための最良の形態】
【００１６】
以下、本発明の実施の形態を、図面を参照しながら説明する。
図１は本発明の実施の形態における光ディスク記録再生装置の概略構成図である。
図１において、１０は光ディスク記録再生装置、２０は記録再生媒体である光ディスクであり、この光ディスク２０を回転させるスピンドルモータ３９、およびこのスピンドルモータ３９の回転数を制御するスピンドルモータ制御手段３７が設けられている。このスピンドルモータ制御手段３７に、光ディスク２０へのデータの記録時の記録速度を切り替える記録速度切り替え手段５１と、光ディスク２０からのデータの再生時の再生速度を切り替える再生速度切り替え手段５２が設けられている。
【００１７】
またレーザ光を出射して対物レンズ（図示せず）により集光し，これにより光ディスク２０上にレーザスポットを形成して，当該レーザスポットにより情報の記録、または記録された情報の再生もしくは消去を行うピックアップ３０が設けられている。このピックアップ３０は、光ディスク２０に情報を記録する記録手段と光ディスク２０に記録された情報を再生する再生手段を構成している。
【００１８】
光ディスク２０上に光ビームを照射し、その反射光を検出して電気信号に変換された検出信号はこのピックアップ３０より信号処理手段３６に入力される。この信号処理手段３６に、入力された検出信号によりトラッキング誤差信号とフォーカス誤差信号を形成して出力するとともに，情報のエラー訂正等を行って再生信号を出力する信号処理回路が設けられ、またピックアップ３０を駆動して、光ディスク２０に対してデータの記録再生を行うための光ビームを光ディスク２０に照射させるレーザ駆動回路が設けられている。またこの信号処理手段３６に、光ディスク再生時のレーザーパワーを切り替えるレーザーパワー切り替え手段６１と、記録時の周囲温度毎に最適な記録ストラテジー情報を記憶するストラテジー情報記憶手段６２と、再生信号から再生クロックを抽出し、再生クロックに同期してデータの再生を行うＰＬＬ手段６３と、ＰＬＬ手段６３の動作周波数特性を切り替えるＰＬＬ制御切り替え手段６４と、再生信号を２値化するデータスライス特性を制御する手段６５と、データスライス特性を切り替えるデータスライス特性切り替え手段６６が設けられている。
【００１９】
また図示しないが、ピックアップ３０の位置をディスク２０の半径方向に移動させるトラバース送りモータ、前記レーザスポットを調整するトラッキングコイル（トラックアクチュエータ）、およびフォーカスコイル（フォーカスアクチュエータ）が設けられており、前記トラバース送りモータを駆動してピックアップ３０の位置をディスク２０の半径方向に移動させるトラバース送り制御（位置制御）、前記トラッキング誤差信号に基づいてトラッキングコイルを制御するトラッキング制御、前記フォーカス誤差信号に基づいてフォーカスコイルを制御するフォーカス制御を行うピックアップ制御手段３５が設けられている。このピックアップ制御手段３５に、光ディスク記録再生時のフォーカスサーボ制御オフセット値を切り替えるフォーカスオフセット切り替え手段７１と、ピックアップ３０を移動させるトラバースの駆動能力を制御するトラバース駆動能力切り替え手段７２と、シーク動作時の加減速の度合いや最大速度を決定するプロファイル手段７３と、前記プロファイル手段７３を切り替えるプロファイルの切り替え手段７４が設けられている。
【００２０】
また光ディスク２０の周辺温度を検出する温度（情報）検出手段３２が設けられている。この温度検出手段３２として、記録時の温度上昇によりピックアップ３０が破壊されることを防止するためにピックアップ３０に搭載されているサーミスタが使用される。このサーミスタは、周囲の温度を電圧で検出する。なお、本実施の形態では、温度検出手段３２により光ディスク２０の周辺温度を検出しているが、光ディスク２０の温度を測定するようにすることも可能である。
【００２１】
またこの温度検出手段３２、ピックアップ制御手段３５、信号処理手段３６およびスピンドルモータ制御手段３７に接続され、これらピックアップ制御手段３５、信号処理手段３６およびスピンドルモータ制御手段３７を統括して制御する、たとえばスピンドルモータ制御手段３７に、スピンドルモータ３９の回転数を制御させるべく回転数制御信号を出力し、また光ディスク２０に形成されるレーザスポットの位置を変更すべくピックアップ制御手段３５に位置制御信号を出力するなどを行うシステムコントローラ４０が設けられている。
【００２２】
またシステムコントローラ４０に接続される記憶装置４２、および外部機器用のインターフェース４４が具備されている。記憶装置４２が、温度検出手段３２の周囲の絶対温度を予め定めた２つ以上の基準温度とした状態で、温度検出手段３２によりそれぞれ測定した検出値を、前記基準温度と共に保存する基準温度情報保存手段８１を構成している。またシステムコントローラ４０の中には、情報処理モジュール４１が含まれ、この情報処理モジュール４１が、記憶装置４２（基準温度情報保存手段８１）に保存された２つ以上の基準温度と検出値の組の情報に基づいて、温度検出手段３２の検出値を温度検出手段３２の周囲の絶対温度に補正する相関関係ｆ（ｘ）（規則の一例）を１次以上の関数で近似して求め、この相関関係ｆ（ｘ）に従って温度検出手段３２の検出値を前記絶対温度に補正する温度情報補正手段８２を構成している。またシステムコントローラ４０が、情報処理モジュール４１（温度情報補正手段８２）により求められた絶対温度をもとに、記録再生装置１０の制御を切り替える切り替え手段を構成している。
【００２３】
上記ピックアップ３０、温度検出手段３２、ピックアップ制御手段３５、信号処理手段３６、スピンドル制御手段３７、スピンドルモータ３９、システムコントローラ４０、記憶装置４２、およびインターフェース４４などにより、前記光ディスク記録再生装置１０が構成される。
［温度情報検出手段３２の検出値と絶対温度との相関関係を求める手順］
温度情報検出手段３２の検出値と温度検出手段３２の周囲の絶対温度との相関関係を求める手順を、図２のフローチャートにしたがって説明する。
【００２４】
図２には、予め定めた周囲温度状態で測定した温度情報検出手段３２の検出値を記憶装置４２に保存するまでのフローと、温度情報検出手段３２の検出値（温度情報）と絶対温度との相関関係ｆ（ｘ）を導くまでのシーケンスフローが示されている。
【００２５】
まず、温度検出手段３２の周囲温度を、予め定められた基準温度（絶対温度）（Ａ）とした状態の中に記録再生装置１０を配置し、その状態で、インターフェース４４を介してホストシステム（図示せず、例えば検査装置）より光ディスク記録再生装置１０へ、周囲温度情報を取得するためのコマンドが発行される（ステップ−Ｓ１）。
【００２６】
システムコントローラ４０は、そのコマンドを受けとると温度検出手段３２によって周囲温度情報を取得し（ステップ−Ｓ２）、予め定められた基準温度（絶対温度）（Ａ）と検出した温度情報（Ａ’）とを記憶装置４２に保存する（ステップ−Ｓ３）。
【００２７】
上記ステップ−Ｓ１〜Ｓ３により、例えば基準温度２０℃（Ａ）での検査において、ホストシステムから周囲温度情報を取得するためのコマンドが発行されると、温度検出手段３２によって周囲温度（Ａ’）が検出され、システムコントローラ４０は、前記２０℃（Ａ）の基準温度と温度検出手段３２によって検出された周囲温度（Ａ’）を記憶装置４２に保存する。
【００２８】
さらに、温度検出手段３２の周囲温度を、前記予め定められた基準温度（Ａ）とは異なった、別の予め定められた基準温度（絶対温度）（Ｂ）とした状態の中に光ディスク記録再生装置１０を配置し、その状態で、インターフェース４４を介してホストシステム（図示せず）より光ディスク記録再生装置１０へ、周囲温度情報を取得するためのコマンドが発行される（ステップ−Ｓ４）。
【００２９】
システムコントローラ４０は、そのコマンドを受けとると、温度検出手段３２によって周囲温度情報を取得し（ステップ−Ｓ５）、予め定められた基準温度（絶対温度）（Ｂ）と検出した周囲温度（Ｂ’）とを記憶装置４２に保存する（ステップ−Ｓ６）。
【００３０】
上記ステップ−Ｓ４〜Ｓ６により、例えば周囲温度４５℃（Ｂ）での検査において、ホストシステムから周囲温度情報を取得するためのコマンドが発行されると、温度検出手段３２によって周囲温度（Ｂ’）が検出され、システムコントローラ４０は、前記４５℃（Ｂ）の基準温度と温度検出手段３２によって検出された周囲温度（Ｂ’）を記憶装置４２に保存する。
【００３１】
続いて、システムコントローラ４０は、ステップ−Ｓ３とステップ−Ｓ６において記憶装置４２に保存した２組の「基準温度と検出された周囲温度」を基づいて、内部の情報処理モジュール４１（温度情報補正手段８２）を用いて、温度検出手段３２から得られる温度情報（検出値）ｘと絶対温度ｙとの相関関係ｆ（ｘ）（規則の一例）を導き出し（ステップ−Ｓ７）、記憶装置４２に記憶する（ステップ−Ｓ８）。
【００３２】
図３は、温度検出手段３２によって得られた温度情報（検出値）ｘと、絶対温度ｙとの相関関係ｆ（ｘ）を示す。絶対温度ｙは、次の（１）式により求められる。
ｙ＝｛（Ｂ−Ａ）÷（Ｂ’−Ａ’）｝×ｘ＋Ａ’    …（１）
光ディスク記録再生装置１０に搭載されている温度検出手段３２として、ピックアップ３０に搭載されているサーミスタを使用しているが、このサーミスタは、周囲の温度を電圧で検出し、システムコントローラ４０内で温度情報（検出値）に変換しているが、サーミスタによって検出される値は、サーミスタの個体差によって違いがあるため、サーミスタによって得られる検出値だけでは２つの温度の差に対して相対的な差、すなわち「どれだけ違う」という相対差しか求められない。また、予め保存されている前記基準温度がひとつである場合には、周辺の温度情報（絶対温度）が正確に得られない場合が多い。しかしながら、予め定められた基準温度（絶対温度）と温度検出装置３２によって得られる温度情報（検出値）との関係を、少なくとも２つ以上確認することにより、温度検出手段３２から得られる温度情報（検出値）ｘと周囲の絶対温度ｙとの相関関係ｆ（ｘ）を導き出すことが可能となる。
【００３３】
なお、ここで、３つ以上の異なる基準温度とした状態で周囲温度（検出値）を測定し、相関関係を求めることにより、温度検出手段３２によって検出される値と周囲絶対温度との相関関係が２次関数以上の場合にも、相関関係ｆ（ｘ）を導くことが可能である。
［検出された周囲温度による制御パラメータの切替え手順］
検出された周囲温度による制御パラメータの切替え手順を図４のフローチャートにしたがって説明する。
【００３４】
図４には、実際に記録再生装置１０が記録もしくは再生を行っているときに、周囲温度を検出し、その温度によって制御を切り替えるまでのフローが示されている。
光ディスク記録再生装置１０が、未知の周囲温度（絶対温度）（Ｃ）の中で動作しているとする。
【００３５】
まず、インターフェース４４を介してホストシステム（図示せず）から光ディスク記録再生装置１０に対して、動作要求コマンドが発行される（ステップ−Ｒ１）。このとき、温度検出動作のトリガーは、外部からのコマンド受信ではなく、内部タイマーによる定期的な割り込み等でもよい。
【００３６】
システムコントローラ４０は、前記動作要求コマンドまたはトリガーを受けとると、温度検出手段３２によって検出値（Ｃ’）を取得し（ステップ−Ｒ２）、前記検出値（ｘ＝Ｃ’）と、装置内部の記憶装置４２に記憶している相関関係ｆ（ｘ）｛上記（１）式｝から、内部の情報処理モジュール４１を用いて、現在の絶対温度（ｙ＝Ｃ）を導き出す（ステップ−Ｒ３）。
【００３７】
続いて、システムコントローラ４０は、導き出された絶対温度（Ｃ）が、装置内部に持っている設定温度（α）以上どうかを比較確認し（ステップ−Ｒ４）、設定温度（α）以上でないと判断すると別の設定温度（β）（β＜α）以上かどうかを比較確認し（ステップ−Ｒ５）、続いて設定温度（β）以上でないと判断すると別の設定温度（γ）（γ＜β）以上かどうかを比較確認する（ステップ−Ｒ６）。このように、導き出した絶対温度（Ｃ）が、内部基準温度のどの範囲に相当するかを判断する。
【００３８】
導き出された絶対温度（Ｃ）が、設定温度（α）以上と確認すると、設定温度（α）に適合した制御パラメータに切り替える（ステップ−Ｒ７）。同様に、導き出された絶対温度（Ｃ）が、設定温度（α）未満で設定温度（β）以上と確認すると、設定温度（β）に適合した制御パラメータに切り替え（ステップ−Ｒ８）、設定温度（β）未満で設定温度（γ）以上と確認すると、設定温度（γ）に適合した制御パラメータに切り替える（ステップ−Ｒ９）。導き出された絶対温度（Ｃ）が、設定温度（γ）未満のとき制御パラメータの切り替えは行わない。
【００３９】
その後、切り替えられた制御パラメータに従い、記録再生装置の制御をおこなう（ステップ−Ｒ１０）。
なお、ここで絶対温度（Ｃ）に適合する制御パラメータの切り替えについては、上記のようにいくつかの設定温度との比較によって、予め持っているいくつかの制御パラメータのうちもっとも適切なパラメータを導き出す手法が一般的であるが、導き出された絶対温度（Ｃ）をもとに、記憶していた相関関係（例えば、一次関数）を用いて算出した、アナログ的に変化をする制御パラメータでもよい。なお、後者のほうが、より適切な値を導き出すことも可能である。
［制御パラメータの切り替えの例］
上記絶対温度（Ｃ）に適合する制御パラメータの切り替えの例を説明する。
【００４０】
光ディスク記録再生装置１０が、８倍、１２倍、２０倍、２４倍速の記録速度を持っており、システムコントローラ４０は予め内部情報として、特定のディスクに対して、通常は２４倍速を最大記録速度とするが、高温環境下では記録特性が悪化するために
・４０℃（β）以上の場合は、２０倍速に最大記録速度を制限する。  …  条件式（ｉ）
・さらに４７℃（α）以上の場合は、１２倍速に最大記録速度を制限する。  …  条件式（ii）
という条件式が定められている場合において、
システムコントローラ４０は、前記温度検出手段３２で検出した値から前記温度情報補正手段４１によって補正した、現在の周囲温度（絶対温度）が４２℃であった場合に、検出補正した周囲温度４２℃を、条件式（ｉ）、および（ii）と比較することにより、
４０℃（β）  ＜  ４２℃  ＜  ４７℃（α）
という関係から、検出補正された周囲温度４２℃が、条件式（ｉ）に合致することを導き出す。
【００４１】
例えば、ＺＣＬＶでの記録動作において、通常は１２倍速―２０倍速―２４倍速と切り替えて速度制御していくところが、上記最大記録速度２０倍速の制限によって、１２倍速―２０倍速―２０倍速という切り替え制御をおこなう。
【００４２】
すなわち、システムコントローラ４０は、補正温度情報（絶対温度）に応じて、光ディスク２０へのデータの記録時の記録速度を切り替える記録速度切り替え手段５１の記録速度の上限を変化させる。
【００４３】
また同様に、システムコントローラ４０は、補正温度情報（絶対温度）に応じて、光ディスク２０からのデータの再生時の再生速度を切り替える再生速度切り替え手段５２の再生速度の上限値を変化させる。
【００４４】
またシステムコントローラ４０は、補正温度情報（絶対温度）に応じて以下の制御パラメータの切替えあるいは変化を行うことができる。
・記録時の記録ストラテジー情報を、ストラテジー情報記憶手段６２に記憶された最適なストラテジーに切り替える。
【００４５】
・光ディスク再生時のレーザーパワーをレーザーパワー切り替え手段６１により変化させる。
・フォーカスオフセット切り替え手段７１のオフセット値を変化させる。
【００４６】
・ＰＬＬ制御切り替え手段６４によりＰＬＬ手段６３のＰＬＬ制御特性（動作周波数等）を変化させる。
・データスライス特性切り替え手段６６を制御してデータスライス特性を制御する手段６５のデータスライス特性を変化させる。
【００４７】
・プロファイル切り替え手段７４を制御してプロファイル手段７４のシーク動作時の加速度合いと最大速度を変化させる。
・トラバース駆動能力切り替え手段７２のトラバース駆動能力を変化させる。
［作用］
上記構成・方法による光ディスク記録再生装置の作用を説明する。
【００４８】
例えば光ディスク記録再生装置の検査工程において常温、高温（共に既知）の少なくとも２つ以上の環境下において検査がなされる。
まず、常温（既知；基準温度Ａ）の環境下での検査において、ホストシステム（たとえば、検査装置）からのトリガーによって、温度検出手段３２から得られる温度情報値と既知の周囲温度を記憶する。
【００４９】
次に、高温（既知；基準温度Ｂ）下での検査においても、同様に、検査装置からのトリガーによって、温度検出手段３２から得られる温度情報値と既知の周囲温度を記憶する。
そして、少なくとも２つ以上の異なる環境下で、温度検出手段３２から得られる温度情報値と絶対温度を記憶した時点で、温度検出手段３２から得られる検出値（温度情報値）ｘと絶対温度ｙの相関関係式ｆ（ｘ）を算出し、その相関関係式を記憶する。
【００５０】
予め、光ディスク記録再生装置内の記憶装置４２に、絶対温度を基準とした温度別の制御パターンを保存しておき、実際の装置使用時において、記録再生装置１０に光ディスク２０が挿入された状態で、温度検出手段３２によって現在の温度を検出し、その温度情報を、システムコントローラ４０内部の情報処理モジュール４１において、予め記憶装置４２に記憶しておいた絶対温度との相関関係を用いて絶対温度に変換する。
【００５１】
その検出し、変換された絶対温度をもとに、その周囲温度に適合した指示を、ピックアップ制御手段３５、信号処理手段３６、スピンドルモータ制御手段３７に指示する。
以上のように、図２，図３に示すように、予め、温度検出手段３２と周囲温度との相関関係ｆ（ｘ）を導き出し、装置内部の記憶装置４２に記憶させておくこと、および実際の装置の使用時に、図４に示すように、現在の周囲温度を温度検出手段３２によって検出し、その温度情報を予め記憶させている相関関係ｆ（ｘ）を基準に絶対温度に変換し、絶対温度を基準としたより正確な、より適切なパラメータを設定することにより、すなわち当該装置の制御を切り替えることにより、記録再生の品位を保持でき、より安定した記録再生を行うことができる。
なお、本発明は光ディスク記録再生装置を対象としているが、本発明は、勿論、光ディスク２０に記録されたデータの再生機能しか有しない光ディスク再生装置、あるいは光ディスク２０にデータを記録する記録機能しか有しない光ディスク記録装置やデュプリケータに適用できる。このとき、温度検出手段３２により検出された温度情報を情報処理モジュール４１により補正・変換した絶対温度を基準として、光ディスク再生装置では、たとえばスピンドル制御モジュール３７の再生速度切り替え手段５２の再生速度の上限値を変化させ、光ディスク記録装置では、たとえばスピンドル制御モジュール３７の記録速度切り替え手段５１の記録速度の上限値を変化させる。
【産業上の利用可能性】
【００５２】
本発明にかかる光ディスク記録再生装置は、絶対温度を基準として周囲温度に合わせて当該装置の制御を切り替えることが可能となり、より安定した動作という効果を有し、特殊な温度環境において使用される光ディスクへの記録再生の分野等として有用である。
【図面の簡単な説明】
【００５３】
【図１】本発明の実施の形態における光ディスク記録再生装置の構成図である。
【図２】同光ディスク記録再生装置において、温度検出手段によって検出された温度情報と絶対温度との相関関係を予め導き出すまでを説明するフローチャートである。
【図３】同光ディスク記録再生装置において、温度検出手段によって検出された温度情報と絶対温度との相関関係を示す特性図である。
【図４】同光ディスク記録再生装置において、温度検出手段によって検出された温度情報と、予め記憶された絶対温度との相関関係から、現在の絶対温度を導き出し、その値によって制御方法を切り替えるまでを説明するフローチャートである。
【符号の説明】
【００５４】
１０    光ディスク記録再生装置
２０    光ディスク（記録再生媒体）
３０    ピックアップ
３２    温度検出手段
３５    ピックアップ制御手段
３６    信号処理手段
３７    スピンドルモータ制御手段
３９    スピンドルモータ
４０    システムコントローラ
４１    情報処理モジュール
４２    記憶装置
４４    インターフェース
【図１】
2005222596.tif 000003
【図２】
2005222596.tif 000004
【図３】
2005222596.tif 000005
【図４】
2005222596.tif 000006